(57)【特許請求の範囲】
【請求項１】
第１軸方向に配列された複数の板状体を備え、
各板状体は、表示を行うための表示面と、当該表示面に平行であって前記第１軸方向と直交する回転軸と、を有し、
前記表示面は、前記第１軸方向に対して傾斜しており、または、前記第１軸方向に対して垂直であり、
各板状体を各々の回転軸回りに回転駆動する回転駆動機構が設けられており、
前記表示面は、供給される電圧に応じて所望の表示を行うディスプレイからなり、
前記回転駆動機構により各板状体が各々の回転軸周りに回転駆動される際に、前記ディスプレイは、前記表示面のうち或る角度方向から観察可能な可視領域の大きさを画定し、それに対応する表示対象要素を前記可視領域に表示し、前記表示対象要素の組み合わせで表示対象が形成されるようになっている
ことを特徴とする表示物。
【請求項２】
各板状体のうち前記回転軸の軸線方向における一端部には、前記表示面に平行であって前記回転軸の軸線方向と直交する第２軸方向における隣り合う板状体の重なり量を検出可能な対物センサが設けられており、
前記ディスプレイは、前記対物センサによる検出結果に基づいて、前記表示面のうち前記或る角度方向から観察可能な可視領域の大きさを画定するようになっている
ことを特徴とする請求項１に記載の表示物。
【請求項３】
前記回転駆動機構は、前記表示面の前記第１軸方向に対する傾斜角度を検出可能であり、
前記ディスプレイは、前記回転駆動機構による検出結果に基づいて、前記表示面のうち前記或る角度方向から観察可能な可視領域の大きさを画定するようになっている
ことを特徴とする請求項１に記載の表示物。
【請求項４】
各板状体は、前記表示面に対向する反射面を有している
ことを特徴とする請求項１乃至３のいずれかに記載の表示物。
【発明の詳細な説明】
【技術分野】
【０００１】
本発明は、十分な透光性を確保しながら所定の表示機能を発揮することができる表示物に関する。
【背景技術】
【０００２】
外光の入射方向と観察者からの観察方向との相違を利用して、或る角度方向から入射する光を透過させながら、当該或る角度方向とは異なる別の角度方向からの視線を遮ることができる採光および遮視装置が知られている。このような採光および遮視装置の一例として、ブラインド、目隠しルーバー等が挙げられる。採光および遮視装置は、通常、一軸方向に配列された複数の板状体を備えており、各板状体は、一軸方向に対して傾斜している。
【発明の概要】
【発明が解決しようとする課題】
【０００３】
ところで、十分な透光性を確保しながら所定の表示機能を発揮することができる表示物があれば、例えば、建物の窓ガラスの屋外に面するパネル面上に設置される広告看板としての用途において、極めて有用である。しかしながら、そのような表示物は知られていない。
【０００４】
本件発明者は、当初、前述した採光および遮視装置の複数の板状体に、所定の表示対象を印刷することで、十分な透光性を確保しながら所定の表示機能を発揮することができると考えた。具体的には、例えば、各板状体のうち或る角度方向から観察可能な可視領域にそれぞれ表示対象要素を印刷することで、十分な透光性を確保しながら、観察者が当該或る角度方向から装置を観察する時に、表示対象要素の組み合わせによる良好な表示対象を観察することができる。
【０００５】
しかしながら、時間帯や季節に応じて入射方向が変化する太陽光のような外光に対して十分な透光性を確保するためには、外光の入射方向に応じて各板状体の傾斜角度を適宜変化させる必要があるが、各板状体の傾斜角度を変化させることで、表示面のうち前記或る角度方向から観察可能な可視領域の大きさも変化するため、当該可視領域の大きさと印刷された表示対象要素の大きさとが対応しなくなる。その結果、観察者が前記或る角度方向から装置を観察する時に、隣り合う表示対象要素同士が離間して表示対象内に余計な空白領域が挿入されたり、隣り合う表示対象要素同士が重なり合って表示対象の一部が欠損してしまう、という問題がある。すなわち、この装置では、外光の入射方向が変化する場合に、十分な透光性を確保することと、観察者が良好な表示対象を観察することと、を両立できないという問題がある。
【０００６】
本発明は、以上の点を考慮してなされたものであり、外光の入射方向が変化する場合であっても、十分な透光性を確保しながら、観察者が良好な表示対象を観察することができる表示物を提供することを目的とする。
【課題を解決するための手段】
【０００７】
本発明による表示物は、
第１軸方向に配列された複数の板状体を備え、
各板状体は、表示を行うための表示面と、当該表示面に平行であって前記第１軸方向と直交する回転軸と、を有し、
前記表示面は、前記第１軸方向に対して傾斜しており、または、前記第１軸方向に対して垂直であり、
各板状体を各々の回転軸回りに回転駆動する回転駆動機構が設けられており、
前記表示面は、供給される電圧に応じて所望の表示を行うディスプレイからなり、
前記回転駆動機構により各板状体が各々の回転軸周りに回転駆動される際に、前記ディスプレイは、前記表示面のうち或る角度方向から観察可能な可視領域の大きさを画定し、それに対応する表示対象要素を前記可視領域に表示し、前記表示対象要素の組み合わせで表示対象が形成されるようになっている。
【０００８】
本発明による表示物において、
各板状体のうち前記回転軸の軸線方向における一端部には、前記表示面に平行であって前記軸線方向と直交する第２軸方向における隣り合う板状体の重なり量を検出可能な対物センサが設けられており、
前記ディスプレイは、前記対物センサによる検出結果に基づいて、前記表示面のうち前記或る角度方向から観察可能な可視領域の大きさを画定するようになっていてもよい。
【０００９】
本発明による表示物において、
前記回転駆動機構は、前記表示面の前記第１軸方向に対する傾斜角度を検出可能であり、
前記ディスプレイは、前記回転駆動機構による検出結果に基づいて、前記表示面のうち前記或る角度方向から観察可能な可視領域の大きさを画定するようになっていてもよい。
【００１０】
本発明による表示物において、各板状体は、前記表示面に対向する反射面を有していてもよい。
【発明の効果】
【００１１】
本発明によれば、外光の入射方向が変化する場合であっても、十分な透光性を確保しながら、観察者が良好な表示対象を観察することができる表示物を提供することができる。
【図面の簡単な説明】
【００１２】
【図１】図１は、本発明による一実施の形態を説明するための図であって、表示物を示す斜視図である。
【図２】図２は、図１の表示物のＡ−Ａ線に沿った断面図である。
【図３】図３は、図１の表示物における板状体を示す平面図である。
【図４】図４（ａ）は、図１の表示物において、各板状体の表示面が或る角度方向に対して第１角度をなす場合に、表示面のうち当該或る角度方向から観察可能な可視領域に表示される表示対象要素を説明するための図である。図４（ｂ）は、図１の表示物において、各板状体の表示面が或る角度方向に対して第２角度をなす場合に、表示面のうち当該或る角度方向から観察可能な可視領域に表示される表示対象要素を説明するための図である。
【図５】図５（ａ）は、図４（ａ）の表示対象要素の組み合わせで表示される表示対象を示す図である。図５（ｂ）は、図４（ｂ）の表示対象要素の組み合わせで表示される表示対象を示す図である。
【発明を実施するための形態】
【００１３】
以下、図面を参照して本発明の一実施の形態について説明する。なお、本明細書に添付する図面においては、図示と理解のしやすさの便宜上、適宜縮尺および縦横の寸法比等を、実物のそれらから変更し誇張してある。また、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００１４】
本明細書において、「シート」、「フィルム」、「パネル」等の用語は、呼称の違いのみに基づいて、互いから区別されるものではない。したがって、例えば、「シート」はフィルムやパネルとも呼ばれ得るような部材も含む概念である。また、本明細書において、「シート面（フィルム面、パネル面）」とは、対象となるシート状の部材を全体的かつ大局的に見た場合において対象となるシート状部材の平面方向と一致する面のことを指す。さらに、本明細書において、シート状（フィルム状、パネル状）の部材に対して用いる「法線方向」とは、当該部材のシート面への法線方向のことを指す。
【００１５】
図１は、本発明の一実施の形態による表示物１０を示す斜視図である。図２は、図１の表示物１０のＡ−Ａ線に沿った断面図である。
【００１６】
本実施の形態の表示物１０は、様々な用途で利用可能であり、例えば、屋外看板、道路情報掲示板、建築物の外壁面などで用いられる数ｍ〜数十ｍサイズの大型パネル用途や、ポスター、標識、建築物の内壁面などで用いられる数十ｃｍ〜数ｍサイズの中型パネル用途などを例示することができる。
【００１７】
図１および図２に示すように、表示物１０は、第１軸方向ｄ１に配列された複数（図示された例では５つ）の板状体１２ａ〜１２ｅを備えている。図示された例では、表示物１０は、建物の窓ガラス１１の屋外に面するパネル面１１ｓ上に配置されている。第１軸方向ｄ１は、パネル面１１ｓと平行であり、パネル面１１ｓの法線方向ｎｄに対して直交している。図示された例では、第１軸方向ｄ１が鉛直方向と平行であり、パネル面１１ｓの法線方向ｎｄが水平方向と平行である。
【００１８】
各板状体１２ａ〜１２ｅは、例えば木材または樹脂から形成されている。第１軸方向ｄ１およびパネル面１１ｓの法線方向ｎｄの両方に平行な主切断面（図２における紙面）において各板状体１２ａ〜１２ｅの延びる方向を、第２軸方向ｄ２と呼ぶと、各板状体１２ａ〜１２ｅの第２軸方向ｄ２の長さは、例えば１ｃｍ以上であり、より具体的には、例えば３０ｃｍ〜５０ｃｍ程度である。また、第１軸方向ｄ１における板状体１２ａ〜１２ｅの配列ピッチ、すなわち隣り合う板状体１２ａ〜１２ｅの中心間隔は、例えば１０ｃｍ以上であり、より具体的には、例えば３０ｃｍ〜５０ｃｍ程度である。なお、図示された例では、各板状体１２ａ〜１２ｅは、互いに同一に構成されている。
【００１９】
各板状体１２ａ〜１２ｅは、互いに対向する一対の主面として、第１面２１および第２面２２を有している。このうち第１面２１には、表示を行うための表示面２４が設けられている。表示面２４は、より詳しくは、供給される電圧に応じて所望の表示を行うディスプレイ２３から構成されている。ディスプレイ２３は、不図示の電源に電気的に接続されている。表示面２４が表示する表示対象としては、図形、パターン、デザイン、色彩、絵、写真、キャラクターなどの絵柄（イメージ）や、文字、マーク、数字などの情報を例示することができる。
【００２０】
図１および図２に示すように、表示面２４は、第１軸方向ｄ１に対して傾斜しており、図示された例では、窓ガラス１１のパネル面１１ｓに対して傾斜している。
【００２１】
より詳しくは、図２に示すように、表示面２４は、第１軸方向ｄ１において一側（図示された例では、図２における上側であって、鉛直方向における上側）に位置する一端部が、第１軸方向ｄ１において他側（図示された例では、図２における下側であって、鉛直方向における下側）に位置する他端部よりも、パネル面１１ｓの法線方向ｎｄにおいて窓ガラス１１から離間するように、パネル面１１ｓに対して傾斜している。図２から理解され得るように、このような表示面２４を有する板状体１２ａ〜１２ｅによれば、パネル面１１ｓの法線方向ｎｄに対して他側（下側）に傾斜した或る角度方向（以下、第２角度方向Ｄ２１という）に向けて、表示面２４から光が出射しやすくなる。したがって、表示面２４からの表示機能は、法線方向ｎｄに対して他側に傾斜した第２角度方向Ｄ２１から観察される時に、効果的に発揮され得る。一方、パネル面１１ｓの法線方向ｎｄに対して一側（上側）に傾斜した別の角度方向（以下、第１角度範囲ＡＲ１内の角度方向Ｄ１１という）から表示物１０へ入射する光は、板状体１２ａ〜１２ｅによって遮られにくく、隣り合う板状体１２ａ〜１２ｅの間の空間を通過してパネル面１１ｓに導きやすくなる。
【００２２】
このような傾向を強化する観点から、第１軸方向ｄ１およびパネル面１１ｓの法線方向ｎｄの両方に平行な主切断面（図２における紙面）において、表示面２４は、第１軸方向ｄ１における一側（上側）から他側（下側）に向けて、段階的または連続的に、パネル面１１ｓの法線方向ｎｄにおいてパネル面１１ｓに接近していくことが好ましい。図示された例では、第１軸方向ｄ１およびパネル面１１ｓの法線方向ｎｄの両方に平行な主切断面（図２における紙面）において、表示面２４は、第１軸方向ｄ１における一側（上側）から他側（下側）に向けて、連続的に一定の傾斜の程度で、パネル面１１ｓの法線方向ｎｄにおいてパネル面１１ｓに接近していく。このような表示面２４を有する板状体１２ａ〜１２ｅによれば、パネル面１１ｓの法線方向ｎｄに対して他側（下側）に傾斜した第２角度方向Ｄ２１に向けて、表示面２４から光が出射しやすくなる。したがって、表示面２４からの表示機能は、法線方向ｎｄに対して他側に傾斜した第２角度方向Ｄ２１から観察される時に、効果的に発揮され得る。一方、パネル面１１ｓの法線方向ｎｄに対して一側（上側）に傾斜した第１角度範囲ＡＲ１内の角度方向Ｄ１１から表示物１０へ入射する光は、板状体１２ａ〜１２ｅによって遮られにくく、隣り合う板状体１２ａ〜１２ｅの間の空間を通過してパネル面１１ｓに導きやすくなる。
【００２３】
なお、本実施の形態では、表示面２４は、第１軸方向ｄ１に対して傾斜しているが、これに限定されず、表示面２４は、第１軸方向ｄ１に対して垂直であってもよい。  
図１に示すように、各板状体１２ａ〜１２ｅは、その配列方向である第１軸方向ｄ１に対して交差する方向に直線状に延びている。とりわけ図示された例において、各板状体１２ａ〜１２ｅは、第１軸方向ｄ１およびパネル面１１ｓの法線方向ｎｄの両方と直交する第３軸方向ｄ３に、直線状に延びている。これにより、表示面２４からの表示機能は、第３軸方向ｄ３にわたって連続して発揮され得る。
【００２４】
また、図２に示すように、複数の板状体１２ａ〜１２ｅは、第２角度方向Ｄ２１から表示物１０が観察される時に隣り合う板状体１２ａ〜１２ｅ同士が部分的に重なり合うような位置関係で、第１軸方向ｄ１に配列されている。なお、本明細書において「部分的に重なり合う」とは、少なくとも一部が重なり合うことを意味し、全体が重なり合うこと、および、端縁部同士が重なり合うこと（すなわち端縁部同士が接すること）をも含む概念を意味する。このような配列により、観察者が第２角度方向Ｄ２１から表示物１０を観察する時に、表示面２４からの表示機能は、第１軸方向ｄ１にわたって連続して発揮され得る。
【００２５】
図１および図２に示すように、各板状体１２ａ〜１２ｅは、表示面２４に平行であって第１軸方向ｄ１と直交する回転軸１３を有しており、各板状体１２ａ〜１２ｅを各々の回転軸１３回りに回転駆動する回転駆動機構１４が設けられている。図示された例では、回転軸１３は、第３軸方向ｄ３と平行であり、パネル面１１ｓの法線方向ｎｄと直交している。
【００２６】
より詳しくは、回転軸１３は、各板状体１２ａ〜１２ｅの第３軸方向ｄ３における両端部から第３軸方向ｄ３と平行に突出しており、不図示の支持フレームにより軸受を介して回転可能に支持されている。回転駆動機構１４は、例えばモータであり、ギアやベルト等の不図示の動力伝達手段を介して各板状体１２ａ〜１２ｅの回転軸１３に接続されている。なお、回転駆動機構１４のモータは、各板状体１２ａ〜１２ｅ毎に別個に設けられていてもよいし、単一のモータが各板状体１２ａ〜１２ｅに共通に設けられていてもよい。
【００２７】
回転駆動機構１４の回転駆動力が不図示の動力伝達手段を介して各板状体１２ａ〜１２ｅの回転軸１３に伝達されることにより、各板状体１２ａ〜１２ｅは各々の回転軸１３回りに回転駆動されるようになっている。回転駆動機構１４によって各板状体１２ａ〜１２ｅが各々の回転軸１３回りに回転駆動されることにより、各板状体１２ａ〜１２ｅのパネル面１１ｓに対する傾斜方向を、外光の入射方向に合わせて調整することができる。これにより、窓ガラス１１のパネル面１１ｓに導かれる光の入射角度範囲を、高い自由度で調整し、且つ、広角化することが可能となり、入射方向が変化する太陽光のような外光に対して十分な透光性を確保することができる。
【００２８】
ところで、図２から理解され得るように、回転駆動機構１４により各板状体１２ａ〜１２ｅが各々の回転軸１３回りに回転駆動される際に、隣り合う板状体１２ａ〜１２ｅの第２軸方向ｄ２における重なり量が変化し、その結果、各板状体１２ａ〜１２ｅの表示面２４のうち第２角度方向Ｄ２１から観察可能な可視領域７０の大きさが変化する。
【００２９】
本実施の形態では、図３に示すように、表示面２４を構成するディスプレイ２３の第３軸方向ｄ３における一端部に、第２軸方向ｄ２に延びる対物センサ２７が設けられている。対物センサ２７は、例えば反射型赤外線センサであり、第２軸方向ｄ２における複数の位置から第１面２１の法線方向と平行に赤外線を出射するとともに隣接する板状体の第２面２２で反射した赤外線を受光することで、隣り合う板状体１２ａ〜１２ｅの第２軸方向ｄ２における重なり量を検出できるようになっている。
【００３０】
また、各板状体１２ａ〜１２ｅのディスプレイ２３は、回転駆動機構１４により各板状体１２ａ〜１２ｅが回転駆動される際に、対物センサ２７の検出結果を読み出し、当該検出結果に基づいて、表示面２４における表示を変更するようになっている。より詳しくは、各板状体１２ａ〜１２ｅのディスプレイ２３は、回転駆動機構１４により各板状体１２ａ〜１２ｅが回転駆動される際に、対物センサ２７による検出結果に基づいて、第２角度方向Ｄ２１から観察可能な可視領域７０の大きさを画定し、それに対応する表示対象要素を当該可視領域７０に表示するようになっている。
【００３１】
一例として、各板状体１２ａ〜１２ｅの表示面２４が第２角度方向Ｄ２１に対して第１角度θ１または第２角度θ２をなす場合における表示面２４の表示について説明する。
【００３２】
図４（ａ）は、各板状体１２ａ〜１２ｅの表示面２４が第２角度方向Ｄ２１に対して第１角度θ１をなす場合に、第２角度方向Ｄ２１から観察可能な可視領域７０１を示している。また、図４（ｂ）は、各板状体１２ａ〜１２ｅの表示面２４が第２角度方向Ｄ２１に対して第２角度θ２をなす場合に、第２角度方向Ｄ２１から観察可能な可視領域７０２を示している。
【００３３】
図４（ａ）に示すように、各板状体１２ａ〜１２ｅの表示面２４が第２角度方向Ｄ２１に対して第１角度θ１をなす場合、各板状体１２ａ〜１２ｅのディスプレイ２３は、対物センサ２７による検出結果に基づいて、第２角度方向Ｄ２１から観察可能な可視領域７０１の大きさを画定し、それに対応する表示対象要素３０１ａ〜３０１ｅを当該可視領域７０１に表示するようになっている。そして、図５（ａ）に示すように、各板状体１２ａ〜１２ｅの可視領域７０１が表示する表示対象要素３０１ａ〜３０１ｅの組み合わせにより、二次元的な表示対象３０１が形成されるようになっている。
【００３４】
また、図４（ｂ）に示すように、各板状体１２ａ〜１２ｅの表示面２４が第２角度方向Ｄ２１に対して第２角度θ２をなす場合、各板状体１２ａ〜１２ｅのディスプレイ２３は、対物センサ２７による検出結果に基づいて、第２角度方向Ｄ２１から観察可能な可視領域７０１の大きさを画定し、それに対応する表示対象要素３０２ａ〜３０２ｅを当該可視領域７０２に表示するようになっている。そして、図５（ｂ）に示すように、各板状体１２ａ〜１２ｅの可視領域７０２が表示する表示対象要素３０２ａ〜３０２ｅの組み合わせにより、二次元的な表示対象３０２が形成されるようになっている。
【００３５】
このように、回転駆動機構１４により各板状体１２ａ〜１２ｅが各々の回転軸１３周りに回転駆動される際に、各板状体１２ａ〜１２ｅのディスプレイ２３が、第２角度方向Ｄ２１から観察可能な可視領域７０１、７０２の大きさを画定し、それに対応する表示対象要素３０１ａ〜３０１ｅ、３０２ａ〜３０２ｅを当該可視領域７０１、７０２に表示することで、観察者が第２角度方向Ｄ２１から表示物１０を観察する時に、表示対象要素３０１ａ〜３０１ｅ、３０２ａ〜３０２ｅの組み合わせで良好な表示対象３０１、３０２を観察することができ、隣り合う表示対象要素同士が離間して表示対象内に余計な空白領域が挿入されたり、隣り合う表示対象要素同士が部分的に重なり合って表示対象の一部が欠損する、という問題が防止される。
【００３６】
本実施の形態では、図２に示すように、各板状体１２ａ〜１２ｅの第２面２２には、反射面２５が設けられている。反射面２５は、一例として、高い反射率を有する材料からなる薄膜によって形成されている。反射面２５は、第１角度範囲ＡＲ１内の角度方向Ｄ１１より更に一側（上側）に傾斜した角度方向から第２面２２に向けて入射する光を反射して、パネル面１１ｓに誘導する。したがって、第２面２２に反射面２５を設けることにより、パネル面１１ｓに導かれる光の入射角度範囲に相当する第１角度範囲ＡＲ１を広角化することができる。
【００３７】
次に、以上のような表示物１０の作用について説明する。
【００３８】
本実施の形態による表示物１０は、複数の板状体１２ａ〜１２ｅの配列方向である第１軸方向ｄ１が鉛直方向と平行になるように配置される。より詳しくは、各板状体１２ａ〜１２ｅが、パネル面１１ｓの法線方向ｎｄに対して第１軸方向ｄ１における一側（上側）に傾斜するように、すなわち、各板状体１２ａ〜１２ｅの第１軸方向ｄ１において一側に位置する一端部が、鉛直方向における上側に位置し、各板状体１２ａ〜１２ｅの第１軸方向ｄ１において他側に位置する他端部が、鉛直方向における下側に位置するように、表示物１０が配置される。
【００３９】
各板状体１２ａ〜１２ｅの表示面２４がパネル面１１ｓの法線方向ｎｄに対して第１軸方向ｄ１における一側（上側）に傾斜していることで、当該法線方向ｎｄに対して第１軸方向ｄ１における他側（下側）に傾斜した第２角度方向Ｄ２１に向けて、表示面２４から光が出射しやすい。したがって、表示面２４からの表示機能は、法線方向ｎｄに対して他側に傾斜した第２角度方向Ｄ２１から観察される時に、効果的に発揮され得る。
【００４０】
一方、各板状体１２ａ〜１２ｅの表示面２４がパネル面１１ｓの法線方向ｎｄに対して第１軸方向ｄ１における一側（上側）に傾斜しているため、当該法線方向ｎｄに対して第１軸方向ｄ１における一側（上側）に傾斜した第１角度範囲ＡＲ１内の角度方向Ｄ１１から表示物１０に入射する光を、隣り合う板状体１２ａ〜１２ｅの間の空間に取り込むことが可能である。隣り合う板状体１２ａ〜１２ｅの間の空間に取り込まれた光は、隣り合う板状体１２ａ〜１２ｅの間の空間を進行してパネル面１１ｓに導かれる。
【００４１】
ところで、発明が解決しようとする課題の欄でも言及したように、時間帯や季節に応じて入射方向が変化する太陽光のような外光に対して十分な透光性を確保するためには、外光の入射方向に応じて各板状体１２ａ〜１２ｅの傾斜角度を変化させる必要があるが、各板状体１２ａ〜１２ｅの傾斜角度を変化させることで、表示面２４のうち第２角度方向Ｄ２１から観察可能な可視領域７０の大きさも変化する。そのため、表示面２４に表示対象要素が印刷されている場合、各板状体１２ａ〜１２ｅの傾斜角度を変化させると、表示面２４の可視領域７０の大きさと印刷された表示対象要素の大きさとが対応しなくなる。その結果、観察者が第２角度方向Ｄ２１から表示装置を観察する時に、隣り合う表示対象要素同士が離間して表示対象内に余計な空白領域が挿入されたり、隣り合う表示対象要素同士が重なり合って表示対象の一部が欠損してしまう、という問題がある。
【００４２】
一方、本実施の形態では、各板状体１２ａ〜１２ｅが回転駆動機構１４により回転軸１３回りに回転駆動される際に、各板状体１２ａ〜１２ｅのディスプレイ２３は、対物センサ２７による検出結果に基づいて、表示面２４のうち第２角度方向Ｄ２１から観察可能な可視領域７０の大きさを画定し、それに対応する表示対象要素を当該可視領域７０に表示する。
【００４３】
具体的には、例えば、各板状体１２ａ〜１２ｅの表示面２４が第２角度方向Ｄ２１に対して第１角度θ１をなす場合、各板状体１２ａ〜１２ｅのディスプレイ２３は、対物センサ２７による検出結果に基づいて、第２角度方向Ｄ２１から観察可能な可視領域７０１の大きさを画定し、それに対応する表示対象要素３０１ａ〜３０１ｅを当該可視領域７０１に表示する。これにより、観察者が第２角度方向Ｄ２１から表示物１０を観察する時に、表示対象要素３０１ａ〜３０１ｅの組み合わせにより、二次元的な表示対象３０１が良好に観察される。また、例えば、各板状体１２ａ〜１２ｅの表示面２４が第２角度方向Ｄ２１に対して第２角度θ２をなす場合、各板状体１２ａ〜１２ｅのディスプレイ２３は、対物センサ２７による検出結果に基づいて、第２角度方向Ｄ２１から観察可能な可視領域７０２の大きさを画定し、それに対応する表示対象要素３０２ａ〜３０２ｅを当該可視領域７０２に表示する。これにより、観察者が第２角度方向Ｄ２１から表示物１０を観察する時に、表示対象要素３０２ａ〜３０２ｅの組み合わせにより、二次元的な表示対象３０２が良好に観察される。
【００４４】
すなわち、本実施の形態では、各板状体１２ａ〜１２ｅが回転駆動機構１４により回転軸１３回りに回転駆動される際に、各板状体１２ａ〜１２ｅの表示面２４のうち第２角度方向Ｄ２１から観察可能な可視領域７０の大きさが変化するが、ディスプレイ２３が、対物センサ２７による検出結果に基づいて、可視領域７０の大きさに対応するように表示対象要素の大きさを適宜変化させることで、隣り合う表示対象要素同士が離間して表示対象内に余計な空白領域が挿入されたり、隣り合う表示対象要素同士が部分的に重なり合って表示対象の一部が欠損すること無く、表示対象要素の組み合わせによる表示対象を良好に観察することが可能である。したがって、本実施の形態によれば、外光の入射方向が変化する場合であっても、十分な透光性を確保することと、観察者が良好な表示対象を観察することと、を両立することができる。
【００４５】
以上のように、本実施の形態によれば、複数の板状体１２ａ〜１２ｅが第１軸方向ｄ１に配列されており、各板状体１２ａ〜１２ｅを各々の回転軸１３回りに回転駆動する回転駆動機構１４が設けられている。このため、外光の入射方向が変化する場合であっても、回転駆動機構１４により各板状体１２ａ〜１２ｅが各々の回転軸１３回りに回転され、外光の入射方向に応じて各板状体１２ａ〜１２ｅの傾斜角度が変化されることで、十分な透光性を確保することができる。
【００４６】
また、本実施の形態によれば、各板状体１２ａ〜１２ｅの表示面２４は、供給される電圧に応じて所望の表示を行うディスプレイ２３からなり、回転駆動機構１４により各板状体１２ａ〜１２ｅが各々の回転軸１３周りに回転駆動される際に、ディスプレイ２３は、表示面２４のうち或る角度方向（第２角度方向Ｄ２１）から観察可能な可視領域７０の大きさを画定し、それに対応する表示対象要素を当該可視領域７０に表示し、当該表示対象要素の組み合わせで表示対象が形成されるようになっている。このため、各板状体１２ａ〜１２ｅが回転駆動機構１４により回転される際に、各板状体１２ａ〜１２ｅの表示面２４のうち第２角度方向Ｄ２１から観察可能な可視領域７０の大きさが変化するが、ディスプレイ２３が、可視領域７０の大きさに対応するように表示対象要素の大きさを適宜変化させることで、観察者が第２角度方向Ｄ２１から表示物１０を観察する時、隣り合う表示対象要素同士が離間して表示対象内に余計な空白領域が挿入されたり、隣り合う表示対象要素同士が部分的に重なり合って表示対象の一部が欠損すること無く、表示対象要素の組み合わせによる表示対象を良好に観察することができる。
【００４７】
すなわち、本実施の形態によれば、光の入射方向が変化する場合であっても、十分な透光性を確保しながら、観察者が良好な表示対象を観察することができる表示物１０を提供することができる。
【００４８】
とりわけ、本実施の形態による表示物１０では、表示物１０を透過される光の入射角度範囲である第１角度範囲ＡＲ１が、鉛直方向における上側に傾斜した方向に設定され、表示面２４を観察し得る第２角度方向Ｄ２１が、鉛直方向における下側に傾斜した方向に設定されている。この場合、典型的な利用として想定される壁面設置の広告看板としての用途において、表示物１０を目線よりも高い位置に設置する場合に有効である。観察者は、鉛直方向における上側に見上げながら表示物１０を観察するため、鉛直方向における下側に傾斜した第２角度方向Ｄ２１から表示面２４に表示される表示対象を観察することができる。一方、太陽光は、時間帯や季節に応じて入射方向が変化するが、鉛直方向における下側に傾斜した方向、あるいは、略水平方向に進みながら表示物１０に入射する。このため、太陽光は、時間帯や季節に応じて入射方向が変化しても、鉛直方向における上側に傾斜した第１角度範囲ＡＲ１内の角度方向Ｄ１１から隣り合う板状体１２ａ〜１２ｅの間の空間を通過して窓ガラス１１のパネル面１１ｓへ向かうことができる。
【００４９】
また、本実施の形態によれば、各板状体１２ａ〜１２ｅの第２面２２には、反射面２５が設けられているため、第１角度範囲ＡＲ１内の角度方向Ｄ１１より更に上側に傾斜した角度方向から第２面２２に向けて入射する光を反射して、窓ガラス１１のパネル面１１ｓに誘導することができる。これにより、パネル面１１ｓに導かれる光の入射角度範囲に相当する第１角度範囲ＡＲ１を広角化することができる。
【００５０】
ところで、下記の表１は、世界の幾つかの国の主要な都市における季節ごとの南中高度（°）を示している。使用が想定される国の主要な都市における春分秋分の南中高度が第１角度範囲ＡＲ１に含まれることが好ましい。その国で有効に使用できる可能性が高いからである。例えば、使用されることが想定される国が日本の場合は、５４°から５６°までの高度が第１角度範囲ＡＲ１に含まれるようにすればよい。さらに、４９°から６１°までの高度が第１角度範囲ＡＲ１に含まれるようにすれば、世界の多くの国で有効に使用できる可能性が高いため、好ましい。また、使用が想定される国の主要な都市における夏至の南中高度から冬至の南中高度までが第１角度範囲ＡＲ１に含まれることがさらに好ましい。その国で一年を通して有効に使用できる可能性が高いからである。例えば、使用されることが想定される国が日本の場合は、３１°から７９°までの高度が第１角度範囲ＡＲ１に含まれるようにすればよい。さらに、２５°から８４°までの高度が第１角度範囲ＡＲ１に含まれるようにすれば、世界の多くの国で有効に使用できる可能性が高いため、好ましい。なお、所望の高度が第１角度範囲ＡＲ１に含まれることを容易にするために、第１角度範囲ＡＲ１の角度範囲が４５°程度以上連続していることが好ましい。もっとも、表示物１０を傾けて配置することによって、所望の高度を第１角度範囲ＡＲ１に含まれるようにすることも可能である。一方、第１角度範囲ＡＲ１の角度範囲の上限については、第２角度方向Ｄ２１とのバランスで適宜設定すればよいが、１３５°程度未満とすることによって、本実施の形態の表示物１０の特徴をより発揮させることができる。
【表１】
0006350085.tif 000002
【００５１】
なお、本実施の形態では、ディスプレイ２３は、対物センサ２７による検出結果に基づいて、第２角度方向Ｄ２１から観察可能な可視領域７０の大きさを画定するようになっていたが、これに限定されない。例えば、回転駆動機構１４のサーボモータが表示面２４の第１軸方向ｄ１に対する傾斜角度を検出可能となっており、ディスプレイ２３は、回転駆動機構１４のサーボモータによる検出結果を読み出して、当該検出結果に基づいて、第２角度方向Ｄ２１から観察可能な可視領域７０の大きさを画定するようになっていてもよい。
【００５２】
また、本実施の形態では、表示物１０は、建物の窓ガラス１１のパネル面１１ｓ上に配置されていたが、これに限定されるものではない。例えば、表示物１０は、壁面設置の太陽電池パネルのパネル面上に配置されていてもよい。
【符号の説明】
【００５３】
１０    表示物
１１    窓ガラス
１１ｓ  パネル面
１２ａ〜１２ｅ    板状体
２１    第１面
２２    第２面
２３    ディスプレイ
２４    表示面
２５    反射面
２７    対物センサ
３０１、３０２    表示対象
３０１ａ〜３０１ｅ、３０２ａ〜３０２ｅ    表示対象要素
７０、７１、７２    可視領域
ｄ１    第１軸方向
ｄ２    第２軸方向
ｄ３    第３軸方向
ＡＲ１  第１角度範囲
Ｄ１１  第１角度範囲内の角度方向
Ｄ２１  或る角度方向（第２角度方向）
【図１】
0006350085.tif 000003
【図２】
0006350085.tif 000004
【図３】
0006350085.tif 000005
【図４】
0006350085.tif 000006
【図５】
0006350085.tif 000007